(57)【要約】      （修正有）【課題】尿とりパットを交換する時、被介護者を真横に向かす為、従来の尿とりパットでは交換に女性一人や老老介護の場合、介護者も被介護者にも負担がかかる。【解決手段】尿とりパットの中心部分にミシン目１を入れて、左右に引っ張る事により尿とりパットが左右に破れて被介護者から尿とりパットを抜き取ることが出来るような形状を考案。そうすれば被介護者を真横に向かす事をしなくても良くなる。１段式と２段階式があり、２段階式のミシン目入り尿とりパットであれば、上側のミシン目で一度抜き取り、下側のパットでもう一度尿とりパットを使用する事が可能である。構造としてはそのミシン目から尿が漏れないように突合せではなく、下側に持ち出し部分を作りすべての部分に防水の機能をつけなければいけない。材質は今まで通りで可能。【選択図】図１
0003124322.tif 000002
【実用新案登録請求の範囲】
【請求項１】
尿とりパットを交換する時、被介護者を真横に向かす為、従来の尿とりパットでは交換に女性一人や老老介護の場合、介護者も被介護者にも負担がかかる。尿とりパットの中心部分にミシン目を入れて、左右に引っ張る事により尿とりパットが左右に破れて被介護者から尿とりパットを抜き取ることが出来るような形状であり、被介護者を真横に向かす事をしなくても良くなり、介護者一人で交換できることを特徴とするミシン目入り尿とりパット。  
【請求項２】
構造はそのミシン目から尿が漏れないように突合せではなく、下側に持ち出し部分を作りすべての部分に防水の機能をつけなければいけない。１段式と２段階式があり、図２のように、２段階式のミシン目入り尿とりパットであれば、上側のミシン目で一度抜き取り、下側のパットでもう一度尿とりパットを使用する事が可能である。使用の仕方は、外側から市販のおむつ、市販のフラットシーツ、ミシン目入り尿とりパット3段階に重ねておけば、介護者1人になった時間でも上側のミシン入り尿とりパットを一度抜き取り、その後ミシン目入り尿とりパットの下側を抜き取れば2回尿とりパットを取り替えた事のような状態になることを特徴とするミシン目入り尿とりパット。
【請求項３】
介護者一人で交換できることを特徴とする請求功１、２に記載した介護者一人で交換できるミシン目入り尿とりパットの製造方法。
【考案の詳細な説明】
【技術分野】
【０００１】
本案件は介護者一人で被介護者のおむつを交換するためのもの
【背景技術】
【０００２】
吸水性パット装着用パンツ等がある。
【考案の開示】
【考案が解決しようとする課題】
【０００３】
尿とりパットを交換する時、被介護者を真横に向かす為、従来の尿とりパットでは交換に女性一人や老老介護の場合、介護者も被介護者にも負担がかかる
【課題を解決するための手段】
【０００４】
尿とりパットの中心部分にミシン目を入れて、左右に引っ張る事により尿とりパットが左右に破れて被介護者から尿とりパットを抜き取ることが出来るような形状を考案。そうすれば被介護者を真横に向かす事をしなくても良くなる。１段式と２段階式があり２段階式のミシン目入り尿とりパットであれば、上側のミシン目で一度抜き取り、下側のパットでもう一度尿とりパットを使用する事が可能である。構造としてはそのミシン目から尿が漏れないように突合せではなく、下側に持ち出し部分を作りすべての部分に防水の機能をつけなければいけない。材質は今まで通りで可能。
【考案の効果】
【０００５】
介護者二人の時は容易に出来る尿とりパット交換も、介護者一人ではかなりの重労働になる。ミシン目入り尿とりパットを使用する事により、被介護者を真横に向かせることなく少し腰を持ち上げるだけで上向きに寝かせたままで、おむつカバーやフラットシーツを併用することにより、女性一人や老老介護の家庭でも尿とりパットの処理を容易にすることが可能になる。
【考案を実施するための最良の形態】
【０００６】
寝たきり老人を抱える家庭には訪問看護師、ヘルパーなどの協力が必要とされるがそのようなサービスは一日の中でほんの1時間ほどの事であり、大半の世話は家族がする事になる。例えば午後1時から2時までヘルパーによるおむつ交換が行われたとして2時から翌日ヘルパーが来てくれるまで、最低でも２回おむつ交換をしないといけないことになる。その時に簡単に破れて抜き取れるミシン目入り尿とりパットがあれば、被介護者も気持ちよく過ごす事ができ介護者の負担も軽くなる。
【実施例】
【０００７】
使用の方法としてはヘルパーの来てくれている時に、外側から市販のおむつ、市販のフラットシーツ、ミシン目入り尿とりパット3段階に重ねておけば、介護者1人になった時間でも上側のミシン入り尿とりパットを一度抜き取り、その後ミシン目入り尿とりパットの下側を抜き取れば2回尿とりパットを取り替えた事のような状態になる。
【図面の簡単な説明】
【０００８】
【図１】平面図
【図２】２段階式の時の断面図
【符号の説明】
【０００９】
１    ミシン目
２    引っ張るためのひも又は耳
３    持ち出し部分
４    １段目
５    ２段目  
【図１】
0003124322.tif 000003
【図２】
0003124322.tif 000004
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
中央に持ち出し付きミシン目が形成された防水機能のついた吸水性シートと、
上記ミシン目を中心として、上記吸水シートの左側部分及び右側部分のそれぞれ
側端部に形成された引き出し部分と、
を備えたミシン目入り尿とりパット。
【請求項２】
請求項１に記載された尿とりパットにおいて、
上記、ミシン目入り吸水性シートが2段に重ねられている尿とりパット。
【手続補正２】
【補正対象書類名】明細書
【補正対象項目名】全文
【補正方法】変更
【補正の内容】
【考案の詳細な説明】
【技術分野】
【０００１】
本案件は介護者一人で被介護者のおむつを交換するためのもの
【背景技術】
【０００２】
吸水性パット装着用パンツ
【特許文献１】公開特許２００４−２１５８４２公報
【考案の開示】
【考案が解決しようとする課題】
【０００３】
尿とりパットを交換する時、被介護者を真横に向かす為、従来の尿とりパットでは交換に女性一人や老老介護の場合、介護者も被介護者にも負担がかかる
【課題を解決するための手段】
【０００４】
尿とりパットの中心部分にミシン目を入れて、左右に引っ張る事により尿とりパットが左右に破れて被介護者から尿とりパットを抜き取ることが出来るような形状を考案。そうすれば被介護者を真横に向かす事をしなくても良くなる。１段式と２段階式があり２段階式のミシン目入り尿とりパットであれば、上側のミシン目で一度抜き取り、下側のパットでもう一度尿とりパットを使用する事が可能である。構造としてはそのミシン目から尿が漏れないように突合せではなく、下側に持ち出し部分を作りすべての部分に防水の機能をつけなければいけない。材質は今まで通りで可能。
【考案の効果】
【０００５】
介護者二人の時は容易に出来る尿とりパット交換も、介護者一人ではかなりの重労働になる。ミシン目入り尿とりパットを使用する事により、被介護者を真横に向かせることなく少し腰を持ち上げるだけで上向きに寝かせたままで、おむつカバーやフラットシーツを併用することにより、女性一人や老老介護の家庭でも尿とりパットの処理を容易にすることが可能になる。
【考案を実施するための最良の形態】
【０００６】
図を基に説明する。図１において長方形状尿とりパット１０の中央部分にミシン目１があることにより被介護者を真横に向かすことなく尿とりパットを被介護者の体の下から抜き取ることが出来る。ミシン目１が突合せ状態ではなく、持ち出し部分３をつけることにより、ミシン目から尿が下に漏れるのを防ぐことが出来る。持ち出し部分は、他と同様、防水機能のある吸水性の素材であらなければならない。尿とりパットの左側及び右側のそれぞれ側端部には抜き取り時に必要な、引っ張るためのひもまたは耳２があり、被介護者を真横に向かすことなく、上向きに寝ている被介護者の左右の腰を軽く持ち上げながら、左右交互に、引っ張るためのひもまたは耳を引っ張ることにより、尿とりパット中心にあるミシン目が破れて尿とりパットを左右から抜き取ることができる。例として、まず介護者は被介護者の右側に立ち、被介護者の左側の腰を持ち上げながら左側の引っ張るためのひもまたは耳を引っ張りながらミシン目を途中まで破り、今度は被介護者の左側に立ち、被介護者の右側の腰を持ち上げながら右側の引っ張るためのひも又は耳を引っ張って残りのミシン目を破り右左交互に被介護者の左右脇から尿とりパットを抜き取る。図２は2段階式尿とりパット２０である。2段階になっていれば、1度目のおしめ交換の際に1段目４をミシン目で破って抜き取り、時間をおいて2度目に2段目５の尿とりパットをミシン目で破ってぬきとれば2度のおしめ交換をしたことになり、長時間被介護者が気持ちよく清潔に過ごすことができる。2重になった尿とりパットの側端部は、2重が軽く接着されていることが望まれる。接着が強ければ1度目に上の尿とりパットだけをはずすのに意味がなく、また接着が甘すぎても2段階にしている意味がなくなってしまう。引っ張るためのひもまたは耳は上下どちらの尿とりパットにも必要である。寝たきり老人を抱える家庭には訪問看護師、ヘルパーなどの協力が必要とされるがそのようなサービスは一日の中でほんの1時間ほどの事であり、在宅介護の大半の世話は家族がする事になる。例えば午後1時から2時までヘルパーによるおむつ交換が行われたとして２時から翌日ヘルパーが来てくれるまで、最低でも２回おむつ交換をしないといけないことになる。そのときおしめ交換に協力できる家族が２人以上いれば簡単だが、非力の女性一人や老老介護の場合に簡単に破れて抜き取れるミシン目入り尿とりパットがあれば、介護者の負担も軽くなり、被介護者も気持ちよく過ごす事ができる。
【実施例】
【０００７】
使用の方法としては看護師やヘルパーの来てくれている時に、外側から市販のおむつ、市販のフラットシーツ、ミシン目入り尿とりパットと3段階に重ねておけば、介護者1人になった時間でも上側のミシン入り尿とりパットを一度抜き取り、その後ミシン目入り尿とりパットの下側を抜き取れば2回尿とりパットを取り替えた事のような状態になる。
【図面の簡単な説明】
【０００８】
【図１】パットの平面図
【図２】２段階式の時のパットの平面図
【符号の説明】
【０００９】
10  長方形状尿とりパット
１  ミシン目
２  引っ張るためのひも又は耳
３  持ち出し部分
20  2段階式尿とりパット
４  １段目
５  ２段目  
【手続補正３】
【補正対象書類名】図面
【補正対象項目名】全図
【補正方法】変更
【補正の内容】
【図１】
0003124322.tif 000005
【図２】
0003124322.tif 000006
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
中央に持ち出し付きミシン目が形成された吸水性を有する内側と、防水性を有する外側とで構成された防水機能のついた吸水性シートと、
上記ミシン目を中心として、上記吸水性シートの左側部分及び右側部分のそれぞれ側端部に形成された引き出し部分と、
を備えたミシン目入り尿とりパット。
【請求項２】
請求項１に記載された尿とりパットにおいて、
上記、ミシン目入り吸水性シートが2段に重ねられている尿とりパット。
【手続補正２】
【補正対象書類名】明細書
【補正対象項目名】全文
【補正方法】変更
【補正の内容】
【考案の詳細な説明】
【技術分野】
【０００１】
本案件は介護者一人で被介護者のおむつを交換するためのもの
【背景技術】
【０００２】
吸水性パット装着用パンツ
【特許文献１】公開特許２００４−２１５８４２公報
【考案の開示】
【考案が解決しようとする課題】
【０００３】
尿とりパットを交換する時、被介護者を真横に向かす為、従来の尿とりパットでは交換に女性一人や老老介護の場合、介護者も被介護者にも負担がかかる
【課題を解決するための手段】
【０００４】
尿とりパットの中心部分にミシン目を入れて、左右に引っ張る事により尿とりパットが左右に破れて被介護者から尿とりパットを抜き取ることが出来るような形状を考案。そうすれば被介護者を真横に向かす事をしなくても良くなる。１段式と２段階式があり２段階式のミシン目入り尿とりパットであれば、上側のミシン目で一度抜き取り、下側のパットでもう一度尿とりパットを使用する事が可能である。構造としてはそのミシン目から尿が漏れないように突合せではなく、下側に持ち出し部分を作りすべての部分に防水の機能をつけなければいけない。材質は吸水性を有する内側部材と防水性を有する
外側部材とで構成されており、綿、ポリエチレンなどがあげられるが、その他一般に用いられている材料であればよい。
【考案の効果】
【０００５】
介護者二人の時は容易に出来る尿とりパット交換も、介護者一人ではかなりの重労働になる。ミシン目入り尿とりパットを使用する事により、被介護者を真横に向かせることなく少し腰を持ち上げるだけで上向きに寝かせたままで、おむつカバーやフラットシーツを併用することにより、女性一人や老老介護の家庭でも尿とりパットの処理を容易にすることが可能になる。
【考案を実施するための最良の形態】
【０００６】
図を基に説明する。図１において長方形状尿とりパット１０の中央部分にミシン目１があることにより被介護者を真横に向かすことなく尿とりパットを被介護者の体の下から抜き取ることが出来る。ミシン目とは、ライン状に切り込みが入っていて、簡単に左右に破れるものである。ミシン目１が突合せ状態ではなく、持ち出し部分３をつけることにより、ミシン目から尿が下に漏れるのを防ぐことが出来る。持ち出し部分は、他と同様、防水機能のある吸水性の素材であらなければならない。尿とりパットの左側部分及び右側部分のそれぞれ側端部には抜き取り時に必要な、引っ張るためのひもまたは耳２があり、被介護者を真横に向かすことなく、上向きに寝ている被介護者の左右の腰を軽く持ち上げながら、左右交互に、引っ張るためのひもまたは耳を引っ張ることにより、尿とりパット中心にあるミシン目が破れて尿とりパットを左右から抜き取ることができる。例として、まず介護者は被介護者の右側に立ち、被介護者の左側の腰を持ち上げながら左側の引っ張るためのひもまたは耳を引っ張りながらミシン目を途中まで破り、今度は被介護者の左側に立ち、被介護者の右側の腰を持ち上げながら右側の引っ張るためのひも又は耳を引っ張って残りのミシン目を破り右左交互に被介護者の左右脇から尿とりパットを抜き取る。尿とりパットは防水性のある、例えばポリエチレンなどの外側部材100を有し、吸水性のある、例えば綿などの内側部材200を有している。図２は2段階式尿とりパット２０である。2段階になっていれば、1度目のおしめ交換の際に1段目４をミシン目で破って抜き取り、時間をおいて2度目に2段目５の尿とりパットをミシン目で破ってぬきとれば2度のおしめ交換をしたことになり、長時間被介護者が気持ちよく清潔に過ごすことができる。2重になった尿とりパットの側端部は、2重が軽く接着されていることが望まれる。接着が強ければ1度目に上の尿とりパットだけをはずすのに意味がなく、また接着が甘すぎても2段階にしている意味がなくなってしまう。引っ張るためのひもまたは耳は上下どちらの尿とりパットにも必要である。なお2段階以上の構成でも良い。寝たきり老人を抱える家庭には訪問看護師、ヘルパーなどの協力が必要とされるがそのようなサービスは一日の中でほんの1時間ほどの事であり、在宅介護の大半の世話は家族がする事になる。例えば午後1時から2時までヘルパーによるおむつ交換が行われたとして２時から翌日ヘルパーが来てくれるまで、最低でも２回おむつ交換をしないといけないことになる。そのときおしめ交換に協力できる家族が２人以上いれば簡単だが、非力の女性一人や老老介護の場合に簡単に破れて抜き取れるミシン目入り尿とりパットがあれば、介護者の負担も軽くなり、被介護者も気持ちよく過ごす事ができる。
【実施例】
【０００７】
使用の方法としては看護師やヘルパーの来てくれている時に、外側から市販のおむつ、市販のフラットシーツ、ミシン目入り尿とりパットと3段階に重ねておけば、介護者1人になった時間でも上側のミシン入り尿とりパットを一度抜き取り、その後ミシン目入り尿とりパットの下側を抜き取れば2回尿とりパットを取り替えた事のような状態になる。
【図面の簡単な説明】
【０００８】
【図１】パットの平面図
【図２】２段階式の時のパットの平面図
【符号の説明】
【０００９】
10  長方形状尿とりパット
１  ミシン目
２  引っ張るためのひも又は耳
３  持ち出し部分
100外側部材
200内側部材
20  2段階式尿とりパット
４  １段目
５  ２段目  
【手続補正３】
【補正対象書類名】図面
【補正対象項目名】図１
【補正方法】変更
【補正の内容】
【図１】
0003124322.tif 000007